(57)【要約】【課題】一つの分岐箇所から複数の分岐を行うことが可能であると共に、バスダクト幹線の機械的強度をより向上させ得るバスダクト分岐装置を提供する。【解決手段】第１バスダクトユニット１１ａ及び第２バスダクトユニット１１ｂを接続して構成されたバスダクト幹線１０に取り付けられるバスダクト分岐装置２０であって、複数の遮断器１００が着脱可能な遮断器接続用導体６０を本体部２２内に有し、本体部２２は、第１バスダクトユニット１１ａと第２バスダクトユニット１１ｂとの間に架け渡されると共にそれぞれに対して固定されることにより、バスダクト幹線１０に取り付けられるようになっており、遮断器接続用導体６０は、バスダクト幹線１０のバスダクト導体１１１ａに接続された分岐導体４０に接続されると共に、本体部内２２における一方および他方の両方に延設されていることを特徴とする。【選択図】図１
2018182821.tif 000002
【特許請求の範囲】
【請求項１】
複数の遮断器が着脱可能な遮断器接続用導体を本体部内に有し、複数のバスダクトの接続により構成されたバスダクト幹線に取り付けられるバスダクト分岐装置であって、
前記本体部は、前記バスダクト幹線の第１バスダクトと該第１バスダクトに接続される第２バスダクトとの間に架け渡されると共にそれぞれに対して固定されることにより、前記バスダクト幹線に取り付けられるようになっており、
前記遮断器接続用導体は、前記バスダクト幹線のバスダクト導体に接続される分岐導体に接続すると共に、前記本体部内における一方および他方の両方に延設されていることを特徴とするバスダクト分岐装置。
【請求項２】
前記遮断器接続用導体が前記本体部に固定されることを特徴とする請求項１に記載のバスダクト分岐装置。
【請求項３】
前記遮断器接続用導体と前記バスダクト導体とが、前記分岐導体を介して機械的に接続されていることを特徴とする請求項１又は２に記載のバスダクト分岐装置。
【請求項４】
前記本体部内には、複数の前記遮断器接続用導体が相互に離間した状態で並設され、
複数の前記遮断器接続用導体は、前記本体部の一方の側および他方の側が相互に所定間隔離間した状態になっていると共に、前記一方の側および他方の側の間の部分が前記所定間隔より狭い間隔に近接した近接部になっており、
さらに、前記遮断器接続用導体は、前記近接部において、前記分岐導体と接続されるようになっていることを特徴とする請求項１乃至３の何れかに記載のバスダクト分岐装置。
【請求項５】
複数の前記遮断器接続用導体の近接部の両外側から、締着部材で一括に締着されることにより、前記近接部において前記遮断器接続用導体と前記分岐導体とが接続されることを特徴とする請求項４に記載のバスダクト分岐装置。
【請求項６】
前記遮断器接続用導体は、前記一方の側の第１遮断器接続用導体と前記他方の側の第２遮断器接続用導体とに分かれており、
前記第１遮断器接続用導体と前記第２遮断器接続用導体と前記分岐導体とが、前記近接部において、前記締着部材により一括に締着されることを特徴とする請求項５に記載のバスダクト分岐装置。
【請求項７】
前記第１バスダクトと前記第２バスダクトとが接続ユニットを介して接続された前記バスダクト幹線に取り付けられるバスダクト分岐装置であって、
前記本体部は、前記バスダクト幹線に取り付けられた際に、前記接続ユニットを跨ぐようにして前記第１バスダクトと前記第２バスダクトとの間に架け渡されると共にそれぞれに対して固定されることを特徴とする請求項１乃至６の何れかに記載のバスダクト分岐装置。
【発明の詳細な説明】
【技術分野】
【０００１】
本発明は、バスダクト分岐装置に関し、例えば、バスダクトに取り付けて電力を分岐させるバスダクト分岐装置に関する。
【背景技術】
【０００２】
従来から、建物の電気幹線としてバスダクトが利用されている。また、このバスダクトに流れる電力を設備機器等に分岐するバスダクト分岐装置（以下、単に「分岐装置」）が知られており、例えば、特許文献１には、その構成が開示されている。特許文献１に記載の分岐装置は、複数の遮断器を接続するための遮断器接続用導体を内部に有することにより、１つの分岐装置で複数の電力分岐を可能としている。
【先行技術文献】
【特許文献】
【０００３】
【特許文献１】特開２００７−２９５７４２公報
【発明の概要】
【発明が解決しようとする課題】
【０００４】
ところで、バスダクトは、それ自体が剛性の高い部材ではあるが、ユニット化された各バスダクト部材同士の接続部分の機械的強度というものは、バスダクトで形成された電気幹線（以下、バスダクト幹線とも言う）の中で比較的弱いものとなっている。この点が実務上において問題となることは無いものの、将来的にバスダクト幹線全体の更なる機械的強度の向上を検討するような場合には、問題となる可能性がある。
【０００５】
本発明は、上記課題を解消するために提案するものであって、その目的は、一つの分岐箇所から複数の分岐を行うことが可能であると共に、バスダクト幹線の機械的強度をより向上させ得るバスダクト分岐装置を提供することにある。
【課題を解決するための手段】
【０００６】
上記課題を解決するためになされた本発明は、複数の遮断器が着脱可能な遮断器接続用導体を本体部内に有し、複数のバスダクトの接続により構成されたバスダクト幹線に取り付けられるバスダクト分岐装置であって、前記本体部は、前記バスダクト幹線の第１バスダクトと該第１バスダクトに接続される第２バスダクトとの間に架け渡されると共にそれぞれに対して固定されることにより、前記バスダクト幹線に取り付けられるようになっており、前記遮断器接続用導体は、前記バスダクト幹線のバスダクト導体に接続される分岐導体に接続すると共に、前記本体部内における一方および他方の両方に延設されていることを特徴とする。
【０００７】
このように、本発明のバスダクト分岐装置は、遮断器接続用導体に複数の遮断器が接続可能になっているため、一つの分岐箇所から必要に応じて一つの分岐や二つ以上の複数の分岐を行うことが可能である。また、本発明のバスダクト分岐装置は、本体部が第１バスダクトと第２バスダクトとの間に架け渡されてそれぞれに対して固定されるため、第１バスダクトと第２バスダクトとの接続部分を補強することができ、結果として、バスダクト幹線全体の機械的強度を更に向上させることができる。
【０００８】
また、前記遮断器接続用導体が前記本体部に固定されることが望ましい。
【０００９】
上記の構成によれば、遮断器接続用導体と一体になったことにより本体部の剛性（機械的強度）が向上するため、結果として、バスダクト幹線全体の機械的強度をさらに向上させることができる。
【００１０】
また、前記遮断器接続用導体と前記バスダクト導体とが、前記分岐導体を介して機械的に接続されていることが望ましい。
【００１１】
上記の構成によれば、バスダクト分岐装置は、本体部が第１バスダクトと第２バスダクトとの間に架け渡されてそれぞれに対して固定されるだけでなく、その間において分岐導体を介して遮断器接続用導体がバスダクト導体に対して固定されることになり、第１バスダクトと第２バスダクトとの接続部分をより一層強固に補強することができる。
【００１２】
また、前記本体部内には、複数の前記遮断器接続用導体が相互に離間した状態で並設され、複数の前記遮断器接続用導体は、前記本体部の一方の側および他方の側が相互に所定間隔離間した状態になっていると共に、前記一方の側および他方の側の間の部分が相互に前記所定間隔より狭い間隔に近接した近接部になっており、さらに、前記遮断器接続用導体は、前記近接部において、前記分岐導体と接続されるようになっていることが望ましい。
【００１３】
上記の構成によれば、遮断器接続用導体と分岐導体とを接続する場合に、遮断器接続用導体同士が近接した分だけ本体部内における作業スペースが確保できて接続作業が容易になる。その結果、遮断器接続用導体と分岐導体の接続精度の向上にも繋がる。
【００１４】
また、複数の前記遮断器接続用導体の近接部の両外側から、締着部材で一括に締着されることにより、前記近接部において前記遮断器接続用導体と前記分岐導体とが接続されることが望ましい。
【００１５】
上記の構成によれば、締着部材で一括に締着できるため、締着箇所が削減でき、作業性の向上やコスト削減が可能となると共に、締着箇所が複数ある場合に生じ得るかもしれない締着力のばらつきが無くなる。
【００１６】
また、前記遮断器接続用導体は、前記一方の側の第１遮断器接続用導体と前記他方の側の第２遮断器接続用導体とに分かれており、前記第１遮断器接続用導体と前記第２遮断器接続用導体と前記分岐導体とが、前記近接部において、前記締着部材により一括に締着されることが望ましい。
【００１７】
上記の構成によれば、遮断器接続用導体を分割したことにより、遮断器接続用導体全体を一体物として用意する場合に比して構成し易くなると共に、分岐導体と接続するための締着部材により一括締着すればその機能や強度は一体物と略変わらないため、使い勝手が良い。
【００１８】
また、本発明は、前記第１バスダクトと前記第２バスダクトとが接続ユニットを介して接続された前記バスダクト幹線に取り付けられるバスダクト分岐装置であって、前記本体部は、前記バスダクト幹線に取り付けられた際に、前記接続ユニットを跨ぐようにして前記第１バスダクトと前記第２バスダクトとの間に架け渡されると共にそれぞれに対して固定されることが望ましい。
【００１９】
この構成によれば、第１バスダクトと第２バスダクトとの間に接続ユニットを介している場合であっても、この接続ユニットを跨ぐように本体部が架け渡されて固定されるため、バスダクト幹線を確実に補強できる。
【発明の効果】
【００２０】
本発明によれば、一つの分岐箇所から複数の分岐を行うことが可能であると共に、バスダクト幹線の機械的強度をより向上できる。
【図面の簡単な説明】
【００２１】
【図１】本発明の実施形態のバスダクト分岐システムを説明するための模式図であり、遮断器が取り付けられたバスダクト分岐システムの側面を示した模式図である。
【図２】本発明の実施形態のバスダクト分岐システムを構成するバスダクト幹線を説明するための模式図であり、（a）が平面を示した模式図であり、（ｂ）が側面を示した模式図である。
【図３】本発明の実施形態のバスダクト幹線を構成するバスダクトユニットの断面を示した模式図である。
【図４】本発明の実施形態のバスダクト幹線を構成する接続ユニットの断面を示した模式図である。
【図５】本発明の実施形態のバスダクト分岐システムを構成するバスダクト分岐装置の平面を示した模式図である。
【図６】本発明の実施形態のバスダクト分岐システムを構成するバスダクト分岐装置の側面を示した模式図である。
【図７】本発明の実施形態のバスダクト分岐システムを構成するバスダクト分岐装置の断面を説明するための模式図であり、（ａ）がバスダクト分岐装置の長さ方向の中央部分の断面を示した模式図であり、（ｂ）がバスダクト分岐装置長さ方向の端部側部分の断面を示した模式図である。
【図８】本発明の実施形態のバスダクト分岐システムを説明するための模式図であり、遮断器が取り付けられたバスダクト分岐システムの平面を示した模式図である。
【図９】本発明の実施形態のバスダクト分岐システムを説明するための模式図であり、遮断器が取り付けられたバスダクト分岐装置システのなかのバスダクト幹線とバスダクト分岐装置との接続部分を示した模式図である。
【図１０】本発明の実施形態のバスダクト分岐システムを説明するための模式図であり、遮断器が取り付けられたバスダクト分岐装置システのなかのバスダクト分岐装置と遮断器との接続部分を示した模式図である。
【図１１】本発明の実施形態のバスダクト分岐システムの第１変形例を説明するための模式図であり、（ａ）が第１変形例のバスダクト分岐システムを構成するバスダクト分岐装置の平面を示した模式図であり、（ｂ）が第１変形例のバスダクト分岐装置の側面を示した模式図である。
【図１２】本発明の実施形態のバスダクト分岐システムの第１変形例を説明するための模式図であり、遮断器が取り付けられた第１変形例のバスダクト分岐システムの側面を示した模式図である。
【図１３】本発明の実施形態のバスダクト分岐システムの第２変形例を説明するための模式図であり、第２変形例のバスダクト分岐システムの平面（分岐装置を主体とした平面）を示した模式図である。
【図１４】本発明の実施形態のバスダクト分岐システムの第２変形例を説明するための模式図であり、第２変形例のバスダクト分岐システムの側面（分岐装置を主体とした側面）を示した模式図である。
【図１５】本発明の実施形態のバスダクト分岐システムの第２変形例を説明するための模式図であり、第２変形例のバスダクト分岐システムのなかのバスダクト幹線とバスダクト分岐装置との接続部分を示した模式図である。
【図１６】本発明の実施形態のバスダクト分岐システムの第２変形例を説明するための模式図であり、第２変形例のバスダクト分岐システムのなかのバスダクト分岐装置と遮断器との接続部分を示した模式図である。
【図１７】本発明の実施形態のバスダクト分岐システムの第３変形例を説明するための模式図であり、第３変形例のバスダクト分岐システムの平面を示した模式図である。
【図１８】本発明の実施形態のバスダクト分岐システムの第３変形例を説明するための模式図であり、第３変形例のバスダクト分岐システムのなかのバスダクト幹線とバスダクト分岐装置との接続部分の断面を示した模式図である。
【図１９】本発明の実施形態のバスダクト分岐システムの第３変形例を説明するための模式図であり、第３変形例のバスダクト分岐システムのなかのバスダクト幹線とバスダクト分岐装置との接続部分を拡大して示した模式図である。
【発明を実施するための形態】
【００２２】
以下、本発明の実施形態のバスダクト分岐装置について図面に基づいて説明する。尚、本発明のバスダクト分岐装置は、以下の実施形態及びその変形例に限定されるものではない。
【００２３】
《実施形態》
先ず、本実施形態のバスダクト分岐装置（以下、単に「分岐装置」という）を備えたバスダクト分岐システムの概略構成について図１〜図７を参照しながら説明する。
尚、図１は、本実施形態のバスダクト分岐システムを説明するための模式図である。図２は、本実施形態のバスダクト分岐システムを構成するバスダクト幹線を説明するための模式図である。図３は、本実施形態のバスダクト幹線を構成するバスダクトユニットの断面を示した模式図である。図４は、本実施形態のバスダクト幹線を構成する接続ユニットの断面を示した模式図である。図５は、本実施形態のバスダクト分岐システムを構成する分岐装置の平面を示した模式図である。図６は、本実施形態のバスダクト分岐システムを構成する分岐装置の側面を示した模式図である。図７は、本実施形態のバスダクト分岐システムを構成する分岐装置の断面を説明するための模式図である。
【００２４】
図１に示すように、本実施形態のバスダクト分岐システムは、バスダクトユニット１１同士が複数連結（接続）され構成されているバスダクト（バスダクト幹線）１０と、バスダクト１０に取り付けられる分岐装置２０とを備えている。尚、バスダクトユニット１１同士の連結（接続）とは、バスダクトユニット１１同士を直接連結（接続）させるものの他、間に他の部材（例えば接続ユニット１２）を介して連結（接続）させるもの等も含むものとする。
上記のバスダクト１０は、図２〜４に示すように、バスダクトユニット（第１バスダクト）１１ａと、第１バスダクトユニット１１ａの隣に配置されたバスダクトユニット（第２バスダクト）１１ｂとが接続ユニット１２を介して接続された構成になっている。
【００２５】
また、上記の分岐装置２０は、図５〜図７に示すように、箱体（本体部）２２を備えている。この箱体２２は、その内部に、複数の遮断器１００が着脱可能な単層又は複数相分の遮断器接続用導体６０を有している。図示する例では、箱体２２の内部に、三相分の遮断器接続用導体６０が相互に離間した状態で並設されている。また、箱体２２は、バスダクト幹線に沿って連続的に接続されるバスダクトユニット１１（この場合、接続ユニット１２を介して接続される）において、第１バスダクトユニット１１ａと第２バスダクトユニット１１ｂとの間に架け渡されると共に、それぞれに対して固定されるようになっている。すなわち、箱体２２は、バスダクト１０を構成する複数のバスダクトユニット１１のうちの隣り合って配置されているもの同士の間に架け渡されると共に、その架け渡されたバスダクトユニット１１のそれぞれに対して固定されることにより、バスダクト１０に取り付けられるようになっている。
また、遮断器接続用導体６０は、分岐装置２０がバスダクト１０に取り付けられた際の第１バスダクトユニット１１ａ側と第２バスダクトユニット１１ｂ側の両方に延設された構成になっている。
【００２６】
一方、バスダクト１０を構成する接続ユニット１２には、図２及び図４に示すように、分岐装置２０の三相分の遮断器接続用導体６０に対応する三組の導電性接続部材１２１・１２１が所定幅だけ離間して設けられている。この導電性接続部材１２１・１２１は、第１バスダクトユニット１１ａの絶縁被覆導体１１１（バスダクト導体）と第２バスダクトユニット１１ｂの絶縁被覆導体１１１（バスダクト導体）とを接続するものであり、その上側部分が、遮断器接続用導体６０との接続用にハウジング外まで延設されて分岐導体部４０・４０（分岐導体）を形成している。
尚、後述するが、バスダクト１０のハウジングは、バスダクトユニット１１のパイプスペーサ１１２及び側板１１３と、接続ユニット１２の接続側板１２３及び接続カバー３０とを有する構成になっている。
【００２７】
そして、バスダクト１０に分岐装置２０が取り付けられた際に、バスダクト１０の分岐導体部４０・４０の間に分岐装置２０の遮断器接続用導体６０が挿入されて当接し、分岐側締着具１３０によって、これら三相分の分岐導体部４０及び遮断器接続用導体６０を一括して締着できるようになっている。
【００２８】
上記の構成によれば、一つの分岐箇所から複数の分岐を行うことが可能であると共に、バスダクト幹線の補強を行うことができる。
【００２９】
尚、遮断器１００には周知なものが用いられる。図示する遮断器１００は、上述した特許文献１に開示されているものと略同様の構成である。具体的には、図１に示すように、遮断器１００は、ケーシング１００ｃを有し、ケーシング１００ｃの下面からクリップ１００ａが突設している。また、ケーシング１００ｃの上面に開閉操作を担う操作部１００ｄが設けられている。また、ケーシング１００ｃの正面には電力を取り出すための端子１００ｅが設けられており、この端子１００ｅにケーブル１００ｂ（図９参照）が接続される。また、上記のクリップ１００ａは、遮断器接続用導体６０を挟持するものであり、２枚のクリップ片に遮断器接続用導体６０がそれぞれ入り込むように配置され、クリップ片が各遮断器接続用導体６０を挟持する。即ち、遮断器１００は、クリップ１００ａの遮断器接続用導体６０の挟持により、ワンタッチで遮断器接続用導体６０に取り付けられるようになっている。
【００３０】
次に、本実施形態のバスダクト分岐システムの各構成について順番に説明していく。
【００３１】
先ず、バスダクト１０の構成について図２〜図４を参照しながら説明する。
図示するように、バスダクト１０は、絶縁被覆された導体（バスダクト導体）１１１a（図３参照）をハウジングで覆った構成であり、絶縁被覆導体１１１を備えた第１バスダクトユニット１１ａと、絶縁被覆導体１１１を備えた第２バスダクトユニット１１ｂとを接続ユニット１２を介して相互に接続することで形成されている。
【００３２】
バスダクトユニット１１は、図３に示すように、絶縁被覆された例えば三相の絶縁被覆導体１１１（平板状の送電用の導体１１１ａを絶縁物で被覆して形成された絶縁被覆導体１１１）が並設され、絶縁被覆導体１１１の幅方向両側に平面視略方形のパイプスペーサ１１２が配置されている。また、バスダクトユニット１１は、絶縁被覆導体１１１及びパイプスペーサ１１２を断面略コ字形の一対の側板１１３・１１３で一括して狭持し、側板１１３に挿通したボルト１１４ａ、ナット１１４ｂ等の締着具を緊締して固定されている。尚、バスダクトユニット１１のハウジング内の導体１１１ａの端部は、絶縁物で被覆されておらず、接続ユニット１２の導電性接続部材１２１を介して、隣接して設置されるバスダクトユニット１１のハウジング内の導体１１１ａの端部（絶縁物で被覆されていない端部）と電気的に接続できるように構成されている（三相の導体１１１ａの端部が相互に所定寸法・離間した状態になっている）。
【００３３】
上記の側板１１３は、その上下両端縁に、狭持している絶縁被覆導体１１１から外方へ向かって第１補強部１１３ａが略直角に延設され、第１補強部１１３ａの端縁には互いに向きあう方向に第２補強部１１３ｂが略直角に延設され、バスダクトユニット１１やバスダクト１０自体の強度を確保している。尚、バスダクトユニット１１において、パイプスペーサ１１２、側板１１３がハウジングに相当する。
【００３４】
また、接続ユニット１２は、図４に示すように、接続すべき第１バスダクトユニット１１ａ及び第２バスダクトユニット１１ｂの同相導体１１１ａ・１１１ａ間を接続する接続部材としての導電性接続部材１２１と、絶縁セパレータ１２２と、これらを外方から狭持する接続側板１２３と、接続側板１２３の外方に配置された押圧部材１２４とを有し、これらを絶縁スリーブ１２５に挿通してなる締着具１２６で緊締して第１バスダクトユニット１１ａと第２バスダクトユニット１１ｂとを相互に接続する構成であり、接続前には締着具１２６によって仮締着された状態になっている。
尚、絶縁セパレータ１２２は、導電性接続部材１２１を含む異相の導体１１１ａ・１１１ａ間及び導電性接続部材１２１を含む最外側の導体１１１ａと接続側板１２３間を絶縁する位置に設置されている。
【００３５】
接続側板１２３は、平面視で略ハット形状に屈曲形成されており、その凹部１２３ａに押圧部材１２４の少なくとも一部が収納されるようになっている（図２、図４参照）。また、接続側板１２３には、その上端が外方に屈曲延設されることで、フランジ部１２３ｂが形成されている。
【００３６】
接続ユニット１２で第１バスダクトユニット１１ａと第２バスダクトユニット１１ｂとを接続してバスダクト１０を構成する場合、接続すべき第１バスダクトユニット１１ａの導体１１１ａの端部と第２バスダクトユニット１１ｂの導体１１１ａの端部とを同相の導電性接続部材１２１・１２１間に挿入し、バスダクト側板１１３と接続側板１２３とをボルトナット等の締着具で固定する。その後、仮締着している締着具１２６を緊締し、更にフランジ部１２３ｂの対応開放面である下面に接続カバー３０を配置して第１バスダクトユニット１１ａ及び第２バスダクトユニット１１ｂのそれぞれにビス止めする等で固定することにより、第１バスダクトユニット１１ａと第２バスダクトユニット１１ｂとの接続が完了する。尚、接続カバー３０は、平板状の基部３２と、基部３２の側方の両端縁を略直角に屈曲延設してなる補強片３４とを有する構成になっている。
【００３７】
かかる構成に加え、接続ユニット１２の導電性接続部材１２１には、その上部がフランジ部１２３ｂよりも上方に延設されることで分岐導体部４０が形成されている。また、分岐導体部４０（導電性接続部材１２１）に沿うようにして絶縁セパレータ１２２も上方に延設されると共に、これら分岐導体部４０及び絶縁セパレータ１２２の両外側には分岐側板１２７が配置され、更にその分岐側板１２７の外方には分岐側押圧部材１２８が配置されている。そして、これら分岐導体部４０、絶縁セパレータ１２２、分岐側板１２７及び分岐側押圧部材１２８を分岐側絶縁スリーブ１２９に挿通してなる分岐側締着具（例えば、ボルト（ネジ）、ナット等で構成される締着具）１３０で緊締可能な構成となっている。
【００３８】
尚、分岐側絶縁スリーブ１２９は、両端を貫通する貫通孔が形成された中空筒状（一体物で形成しても複数の部材で形成してもよい）になっており、導電性接続部材１２１の分岐導体部４０及び絶縁セパレータ１２２を貫通した状態で設置されている。また、分岐側押圧部材１２８は、分岐側絶縁スリーブ１２９の貫通孔に連通するボルト孔が形成されている。そして、分岐側締着具１３０を構成するボルトが、分岐側押圧部材１２８のボルト孔及び分岐側絶縁スリーブ１２９の貫通孔に挿通され、分岐側締着具１３０を締め付けることで、「分岐側押圧部材１２８及び分岐側締着具１３０」により分岐導体部４０、絶縁セパレータ１２２及び分岐側板１２７等と共に、後述する遮断器接続用導体６０が締結されるようになっている。ただし、分岐装置２０がバスダクト１０に取り付けられる前の状態においては、分岐側締着具１３０は仮締着状態になっている。
【００３９】
次に分岐装置２０について図５〜図７を参照しながら説明する。
分岐装置２０は、ボックス形の箱体２２を備えている。箱体２２は、板状の底面２２ａを有し、この底面２２ａから周壁である側壁２２ｂ・２２ｂ、前壁２２ｃ、後壁２２ｄが立設しており、その上面側には、後述する遮断器１００を接続するための遮断器接続開口２２ｅが形成されている（図５、図７参照）。この遮断器接続開口２２ｅの両側壁２２ｂ・２２ｂ側には、遮断器１００を箱体２２に支持固定するための支持板部２２ｆが設けられている。この支持板部２２ｆには、例えば多数のネジ孔が穿設されており、遮断器１００を任意の位置に取り付けて固定できるようになされている。そして、底面２２ａの中央部には、バスダクト１０に分岐装置２０を取り付ける際にバスダクト１０側の分岐導体部４０等を挿通させるための取付開口２２ｇ（図５）が形成されている。
【００４０】
また、前壁２２ｃの下端部側には、バスダクトユニット１１に対して分岐装置２０を固定するための固定部材２６が設けられている。また、後壁２２ｄの下端部側には、バスダクトユニット１１に対して分岐装置２０を固定するための固定部材２７が設けられている。固定部材２６、２７は、いずれも、バスダクトユニット１１の第１補強部１１３ａを把持する構成になっている。
尚、本実施形態では、固定部材２６、２７の具体的な構成について特に限定するものではない。固定部材２６、２７は、第１補強部１１３ａを把持することができる構成のものであれば良い。例えば、固定部材２６、２７は、バスダクトユニット１１の第１補強部１１３ａを挟持する挟持部と、第１補強部１１３ａを挟持している挟持部を締結して当該挟持部により第１補強部１１３ａを把持させる締結部（ボルト（ネジ）、ナット等で構成される締結部）とを有する構成になっていても良い。
【００４１】
また、箱体２２の中には、例えば三相の板状の裸導体でなる遮断器接続用導体６０が、絶縁スペーサー６１を間に介在させて側壁２２ｂ・２２ｂの外側から締着具（例えば、ボルト（ネジ）、ナット等で構成される締着具）６２で一括締着することにより、遮断器接続用導体６０・６０・６０間に所定の間隔を確保した状態で、且つ、遮断器接続用導体６０と底面２２ａ、側壁２２ｂ、前壁２２ｃ及び後壁２２ｄとの間に所定の間隔を確保した状態で箱体２２内に並設固定されている。尚、本実施形態では、絶縁スペーサー６１は、略樽形状に形成されているが、上述した所定の間隔を確保できるものであれば、どのような形状であってもかまわない。
【００４２】
また、図５に示すように、三相の遮断器接続用導体６０は、箱体２２の中央部付近（長さ方向中央部付近）において、中心相の遮断器接続用導体６０に向けて両外相の遮断器接続用導体６０が近接した状態に屈曲変形されることで、バスダクト１０側の分岐導体部４０（導電性接続部材１２１）と接続するための導体接続部（近接部）６０ｃが形成されている。具体的には、三相の遮断器接続用導体６０は、箱体２２の中央部付近において、接続ユニット１２の同相の分岐導体部４０・４０（導電性接続部材１２１・１２１）それぞれの間に挿入できる導体間距離まで屈曲変形され、その挿入部分が導体接続部６０ｃとなっている。
尚、本実施形態において三相の遮断器接続用導体６０のそれぞれは、あたかも導体接続部６０ｃの中央部付近で切断分離されたかのように、第１遮断器接続用導体６０ａと第２遮断器接続用導体６０ｂとに分かれて箱体２２内に並設固定されている。また、図示する例では、三相の導体接続部６０a、６０ｂは、いずれも、箱体２２の中央部付近（長さ方向中央部付近）において、中心相の遮断器接続用導体６０a、６０ｂに向けて両外相の遮断器接続用導体６０a、６０ｂが略Ｌ字状に屈曲することにより、導体接続部（近接部）６０ｃが形成されている。３相の導体接続部（近接部）６０ｃは、遮断器接続用導体６０の導体接続部６０ｃ以外の部分と比べて、相互の間隔が狭く近接した状態になっている。また、導体接続部６０ｃには、絶縁スペーサー６１及び締着具６２が設けられていない。
【００４３】
また、遮断器接続用導体６０には、分岐装置２０に遮断器１００が接続された際に遮断器１００のクリップ１００ａが接触する遮断器接続部６０ｄが設けられている。この遮断器接続部６０ｄは、複数の遮断器１００が接続できる長さ寸法になっている。また、遮断器接続部６０ｄは、上述した導体接続部６０ｃの長さ方向・両側にそれぞれ形成されている。尚、三相の遮断器接続部６０ｄは、上述した絶縁スペーサー６１により相互に所定の間隔を開けて設置されている。また、両外相の遮断器接続部６０ｄは、絶縁スペーサー６１により側壁２２ｂに対して所定の間隔を開けて設置されている。
さらに、遮断器接続部６０ｄにおけるクリップ１００ａが接触する側には、導電性部材を略逆Ｕ字形状に折り曲げた補強導体６０ｅ（図７）が装着されており、遮断器１００のクリップ１００ａとの電気的接触を良好に保つようになっている。尚、この補強導体６０ｅは必須ではなく、使用状況や導体の材質を考慮して適宜設ければ良い。
【００４４】
このようにして分岐装置２０は、遮断器接続用導体６０の遮断器接続部６０ｄの任意の位置に、１つ又は複数の遮断器１００を接続できるようになされている。
【００４５】
かかる構成に加え、分岐装置２０には、箱体２２の上面側を遮断器１００ごとまとめて覆うカバー部７０が形成されるようになっている。
具体的には、図７に示すように、カバー部７０は、第１カバー部７１と第２カバー部７２とに分かれている。本実施形態では、第１カバー部７１が箱体２２に一体に設けられ、第２カバー部７２が箱体２２及び第１カバー部７１に対して着脱可能に設けられるようになっている。このカバー部７０の寸法や形状、分割構成は使用状況に合わせて適宜設計可能であり、状況によっては必ずしも設けなくても良い。尚、図７（ａ）では、第２カバー部７２が取り外された状態を示しており、図７（ｂ）では、第２カバー部７２が取り付けられた状態を示している。
【００４６】
第１カバー部７１は、箱体２２の一方の側壁２２ｂ上端を支持板部２２ｆに沿って外方に延設することで形成されたカバー底面７１ａと、このカバー底面７１ａの外側端を上方に向けて延設することで形成されたカバー側壁７１ｂとを有しており、全体として断面視で略Ｌ字形状をしている。このカバー側壁７１ｂには、遮断器１００からのケーブル１００ｂを挿通するためのケーブル開口７１ｃ（図６参照）が形成されている。
【００４７】
第２カバー部７２は、箱体２２の上面とカバー底面７１ａとをまとめて覆うことが可能な略方形のカバー上面７２ａと、箱体２２及び第１カバー部７１に対して第２カバー部７２を装着した際にカバー側壁７１ｂが配置される部分以外の周壁となるように略方形のカバー上面７２ａのから下方に突設されたカバー側壁７２ｂ、カバー前壁７２ｃ、カバー後壁７２ｄとを有している。尚、本実施形態の場合、第２カバー部７２は、複数（この場合例えば３つ）に分割されており、箱体２２の上面を部分的に開放できるようになっている。
【００４８】
このようにして分岐装置２０は、カバー部７０（第１カバー部７１及び第２カバー部７２）により、遮断器１００を接続した状態のまま箱体２２の上面を大きく覆うことができるようになされている。
【００４９】
次に、分岐装置２０をバスダクト１０に取り付ける施工手順について、上述した図１と、図８〜図１０とを参照しながら説明する。
尚、図８〜図１０は、本実施形態のバスダクト分岐システムを説明するための模式図であり、遮断器１００が取り付けられた状態のバスダクト分岐システムを示している。
【００５０】
先ず、作業者は、分岐装置２０側においてカバー部７０の第２カバー部７２を取り外すと共に、バスダクト１０側において仮締着状態である分岐側締着具１３０を緩める（仮締着状態での緩み状態が十分であるならば、緩める必要は無い）。その後、分岐装置２０の底面２２a側の中央部付近が接続ユニット１２の近傍に位置するように分岐装置２０を移動させ、バスダクト１０（接続ユニット１２）の上側に突出している分岐導体部４０（導電性接続部材１２１）や絶縁セパレータ１２２、分岐側締着具１３０等の構成部材群に対して、箱体２２の底面２２ａの取付開口２２ｇを位置合わせして底面２２ａの下から挿入させるようにしてバスダクト１０に当接するまで分岐装置２０を近づける。
【００５１】
ことのき、分岐装置２０内に挿入された同相の分岐導体部４０・４０の間に分岐装置２０の導体接続部６０ｃ（遮断器接続用導体６０）が挿入され、分岐導体部４０と導体接続部６０ｃとが当接した状態（分岐導体部４０と導体接続部６０ｃとが接した状態や、僅かに離間して対向配置された状態を広く含む）となる（図９参照）。尚、分岐側締着具１３０のネジ部分や分岐側絶縁スリーブ１２９は、第１遮断器接続用導体６０ａと第２遮断器接続用導体６０ｂの間に配置されるため、分岐装置２０をバスダクト１０に取り付ける前にこれらを分岐導体部４０から取り外す必要は無い。
【００５２】
次に、作業者は、固定部材２６で第１バスダクトユニット１１ａの第１補強部１１３ａを把持することで第１バスダクトユニット１１ａに対して分岐装置２０の箱体２２の一方（前側）を固定し、同様に、固定部材２７で第２バスダクトユニット１１ｂの第１補強部１１３ａを把持することで第２バスダクトユニット１１ｂに対して分岐装置２０の箱体２２の他方（後ろ側）を固定する（図１、８参照）。すなわち、分岐装置２０は、その本体部である箱体２２が接続ユニット１２を跨いで第１バスダクトユニット１１ａと第２バスダクトユニット１１ｂとの間に架け渡されてそれぞれに対して固定されることになる。その後、作業者は、分岐側締着具１３０を締め付け、バスダクト１０の分岐導体部４０と分岐装置２０の遮断器接続用導体６０とを電気的にも機械的にも接続する。その結果、バスダクト１０の導体１１１ａと分岐装置２０の遮断器接続用導体６０とが分岐導体部４０を介して電気的にも機械的にも接続されることになる。尚、「機械的に接続する」とは、例えば、相互に固定されて動かない状態（容易には動かない状態を含む）になることや、あたかも１つの部材のように一体化した状態になることを指す。
【００５３】
そして、作業者は、箱体２２上面の遮断器接続開口２２eに遮断器１００のクリップ１００ａを挿入し、このクリップ１００ａで遮断器接続用導体６０の補強導体６０ｅ（遮断器接続部６０ｄ）を挟み込ませた後に、ビス等で遮断器１００を支持板部２２ｆに固定することで、分岐装置２０に対して遮断器１００を電気的にも機械的にも接続させる（図１０参照）。そして、カバー側壁７１ｂのケーブル開口７１ｃにケーブル１００ｂを挿通して遮断器１００にケーブル１００ｂを結線し、第２カバー部７２を箱体２２と第１カバー部７１に被せてビス等で固定することで、バスダクト１０に対する分岐装置２０の取付けと、分岐装置２０に対する遮断器１００の取付けが完了となる（図１、図８〜図１０に示す状態になる）。尚、遮断器接続部６０ｄに取り付けられる範囲において、取り付ける遮断器１００の数は１つでも良いし複数でも良く、その容量や大きさも元のバスダクトの容量の範囲で適宜である。また、必要に応じて、第２カバー部７２を取り外すことで、遮断器１００の種類や接続数を変更することも適宜である。
【００５４】
このようにして、本実施形態の分岐装置２０は、バスダクト幹線としてのバスダクト１０に取り付けられるようになっている。これにより、分岐装置２０は、複数の遮断器１００を遮断器接続用導体６０に接続可能であるから、一つの分岐箇所から必要に応じて一つの分岐や二以上の複数の分岐を行うことが可能である。また、分岐装置２０は、本体部である箱体２２が第１バスダクトユニット１１ａと第２バスダクトユニット１１ｂとの間に架け渡されてそれぞれに対して固定されるため、第１バスダクトユニット１１ａと第２バスダクトユニット１１ｂとの接続部分を補強することができ、結果として、バスダクト１０全体の機械的強度をさらに向上することができる。尚、機械的強度とは、圧縮、引張、振動、押圧、衝撃、などの物理的な外力に対して持つ耐久力のことである。
【００５５】
また、本実施形態の分岐装置２０では、三相の遮断器接続用導体６０が、箱体２２の中央部付近において、中心相の遮断器接続用導体６０に向けて両外相の遮断器接続用導体６０が近接した状態に屈曲変形されることで、バスダクト１０側の分岐導体部４０（導電性接続部材１２１）と接続するための導体接続部６０ｃが形成されている。これにより、分岐導体部４０と遮断器接続用導体６０とを接続する場合に、遮断器接続用導体６０同士が近接した分だけ箱体２２内における作業スペースが確保できて接続作業が容易になる。その結果、遮断器接続用導体６０と分岐導体４０の接続精度の向上にも繋がる。
【００５６】
尚、本実施形態では、三相の遮断器接続用導体６０は、接続ユニット１２の同相の分岐導体部４０・４０（導電性接続部材１２１・１２１）それぞれの間に挿入できる導体間距離まで屈曲変形され、その挿入部分が導体接続部６０ｃとなっている。これにより、遮断器１００と接続するために必要な遮断器接続部６０ｄ・６０ｄ・６０ｄ同士の導体間距離（広い）と、バスダクト１０側の分岐導体部４０と接続するために必要な導体接続部６０ｃ・６０ｃ・６０ｃ同士の導体間距離（狭い）とを、分岐装置２０の内の遮断器接続用導体６０だけで実現することができるため、バスダクト幹線の本体であるバスダクト１０側の例えば分岐導体部４０・４０・４０同士の配置間隔を変更したりする必要が無くなるという利点もある。
【００５７】
また、本実施形態の分岐装置２０では、三相の遮断器接続用導体６０の導体接続部６０ｃ（近接部）の両外側から、分岐側締着具１３０により、分岐側板１２７を介して、三相分の分岐導体部４０・４０と、その間にそれぞれ挿入された同相の遮断器接続用導体６０と、異相間の絶縁と分岐側板１２７との間の絶縁を担う絶縁セパレータ１２２とを一括で締着しているため、近接部における締着作業が容易であるだけでなく、それぞれの相を個別に締着する場合に比して作業性の向上やコスト削減が可能となると共に、締着箇所が複数ある場合に生じ得るかもしれない締着力のばらつきが無くなる。
【００５８】
また、本実施形態の分岐装置２０では、遮断器接続用導体６０が第１遮断器接続用導体６０ａと第２遮断器接続用導体６０ｂとに分かれており、第１遮断器接続用導体６０ａと第２遮断器接続用導体６０ｂと分岐導体部４０とを、分岐側締着具１３０により一括に締着している。これにより、遮断器接続用導体６０全体を一体物として用意する場合に比して、遮断器接続用導体６０を構成し易くなる。特に、導体接続部６０ｃを挟んで前側の延設長さと後側の延設長さを異ならせるような場合には、長さの異なる第１遮断器接続用導体６０ａと第２遮断器接続用導体６０ｂを組み合わせれば良いので、一体物として用意する場合に比して構成し易いのは明らかである。また、分岐側締着具１３０により一括締着すれば、結果として機能や強度は一体物とほぼ変わらないため、第１遮断器接続用導体６０ａと第２遮断器接続用導体６０ｂとの接続用に専用の締着部材を別途用意する必要もなく、使い勝手が良い。
【００５９】
また、本実施形態の分岐装置２０では、三相の裸導体でなる遮断器接続用導体６０が、絶縁スペーサー６１を間に介在させて側壁２２ｂ・２２ｂの外側から締着具６２で一括締着することにより、遮断器接続用導体６０・６０・６０間に所定の間隔を確保した状態で、且つ、遮断器接続用導体６０と底面２２ａ、側壁２２ｂ、前壁２２ｃ及び後壁２２ｄとの間に所定の間隔を確保した状態で箱体２２内に並設固定されている。このようにして、遮断器接続用導体６０と機械的に一体になったことにより箱体２２（本体部）の機械的強度が向上するため、結果として、バスダクト１０全体の機械的強度をさらに向上することができる。尚、「機械的に一体になる」とは、相互に固定（容易には動かない状態にすることを含む）されてあたかも１つの部材のようになることを指す。
【００６０】
また、本実施形態では、第１バスダクトユニット１１ａと第２バスダクトユニット１１ｂの接続部分から電気を分岐するようになっているが、分岐装置２０は、ここに接続して電気を分岐しつつ、第１バスダクトユニット１１ａと第２バスダクトユニット１１ｂとの間に架け渡されてそれぞれに対して固定されるようになっている。これにより、電気を分岐する機能を有するバスダクト接続部分を分岐装置２０により補強することができる。
【００６１】
また、本実施形態では、第１バスダクトユニット１１ａと第２バスダクトユニット１１ｂとが間に接続ユニット１２を介在させた所謂突合せ接続構造により接続している。また、分岐装置２０の箱体２２は、この接続ユニット１２を跨ぐようにして第１バスダクトユニット１１ａと第２バスダクトユニット１１ｂとの間に架け渡されてそれぞれに対して固定されるようになっている。これにより、突合せ接続構造のバスダクトであっても、第１バスダクトユニット１１ａと第２バスダクトユニット１１ｂとの接続部分を確実に補強してバスダクト１０全体の機械的強度を向上することができる。
【００６２】
また、本実施形態では、分岐導体部４０がバスダクト１０と分岐装置２０との間の電気的な接続を形成しているだけでなく、機械的にも接続されている。すなわち、分岐装置２０は、箱体２２（本体部）が第１バスダクトユニット１１ａと第２バスダクトユニット１１ｂとの間に架け渡されてそれぞれに対して固定部材２６及び固定部材２７により固定されるだけでなく、第１バスダクトユニット１１ａと第２バスダクトユニット１１ｂとの間において、分岐導体部４０を介して遮断器接続用導体６０が導電性接続部材１２１に対して固定された状態に接続される（この場合、「分岐導体部４０（導電性接続部材１２１）を介して遮断器接続用導体６０が導体１１１ａに対して固定された状態に接続される」と考えても良い）ことになり、第１バスダクトユニット１１ａと第２バスダクトユニット１１ｂとの接続部分をより一層強固に補強することができる。
【００６３】
《本実施形態の変形例》    
尚、本実施形態では、一対の導電性接続部材１２１・１２１で第１バスダクトユニット１１ａ及び第２バスダクトユニット１１ｂの同相導体１１１ａ・１１１ａの端部同士を挟持固定して電気的に接続することで、第１バスダクトユニット１１ａ及び第２バスダクトユニット１１ｂを接続するようにし、この一対の導電性接続部材１２１・１２１の両方を上方に延設して一対の分岐導体部４０を形成するようにした場合について述べたが、特にこれに限定されるものではない。一対の導電性接続部材１２１・１２１は、少なくとも一方が導電性部材で形成されていれば良く、もう一方が非導電性の部材で形成されていても良い。また、分岐導体部４０も対で延設される必要はなく、少なくとも一方が延設されていれば良く、さらに言えば、分岐導体部４０を形成するのに導電性接続部材１２１を必ずしも延設する必要はなく、導電性の別部材でなる分岐導体をボルトや溶接で取り付けて形成しても良く（この場合、分岐導体部４０のみを分岐導体であると考え、導電性接続部材１２１をバスダクト導体としても良い）、要はバスダクト幹線としての導通や分岐路としての分岐装置２０側への導通が確保できる範囲でその構成は適宜である。
【００６４】
また、本実施形態では、分岐側締着具１３０等を、予め接続ユニット１２の分岐導体部４０に取り付けておくようにした場合について述べたが、特にこれに限定されるものではない。分岐装置２０の遮断器接続用導体６０側に、予め、分岐側締着具１３０等を取り付けておいて、分岐装置２０の装着時に一旦取り外してから、分岐装置２０を装着後に改めて分岐側締着具１３０等で締着するようにしても良い。さらに、この場合、例えば分岐導体部４０に分岐側締着具１３０のネジ部分や分岐側絶縁スリーブ１２９を挿通可能なスリットを形成しておけば、分岐装置２０の取り付け時にこれら分岐側締着具１３０や分岐側絶縁スリーブ１２９を一旦取り外す必要も無くなる。また、これら分岐側締着具１３０等を、バスダクト１０側にも分岐装置２０側にも予め設けず、作業時に作業者が持参して取り付けるようにしても良い。
【００６５】
また、本実施形態では、遮断器接続用導体６０を裸導体とした場合について述べたが、特にこれに限定されるものではなく、絶縁ゴム等の絶縁被覆が施された導体が所定距離離間して配置されるようなものであっても良い。その場合、遮断器１００のクリップ１００ａとの接続箇所の絶縁被覆を予め除去しておいたり、遮断器１００の接続時にクリップ１００ａが絶縁被覆を貫通して内部の導体と導通するようにすることで、上述の本実施形態と同様の作用効果を得ることができる。
【００６６】
また、本実施形態では、箱体２２の前壁２２ｃに固定部材２６を設けると共に、後壁２２ｄに固定部材２７を設け、これにより分岐装置２０を第１バスダクトユニット１１ａと第２バスダクトユニット１１ｂとに固定するようにした場合について述べたが、特にこれに限定されるものではない。例えば、箱体２２の底面２２ａの裏側に、バスダクトユニット１１の第１補強部１１３ｂを乗り越えて第１補強部１１３ａを把持可能な鉤状固定部材を設け、これによって固定するようにしても良いし、バンド等で分岐装置２０をバスダクト１０に括りつけるような固定であっても良い。また、分岐装置２０の底面２２ａの裏面をバスダクトユニット１１の第１補強部１１３ａ等に溶接や接着しても良い。要は、分岐装置２０をバスダクトユニット１１に固定できるのであれば既存の固定方法を適宜使用することが可能であるし、それらを複数設置したり異なる種類のものを併用することも適宜である。
【００６７】
また、本実施形態では、分岐装置２０の本体部が箱体２２である場合について述べたが、特にこれに限定されるものではなく、第１バスダクトユニット１１ａと第２バスダクトユニット１１ｂとに架け渡した際に分岐装置２０の全体若しくはその一部が補強材として機能を発揮する程度の機械的強度や剛性を有するのであれば、その構造や材質は適宜である。
【００６８】
また、本実施形態では、遮断器接続用導体６０を絶縁スペーサー６１と締着具６２とで箱体２２内に並設固定するようにした場合について述べたが、特にこれに限定されるものではなく、固定する構造の詳細は適宜であるし、遮断器接続用導体６０を固定せずに保持するだけの構造でも良い。具体的に言うならば、例えば遮断器接続用導体６０の厚み程度の切り込みが形成された専用の絶縁ホルダを形成し、この絶縁ホルダで三相の遮断器接続用導体６０をまとめて上下から把持し、箱体２２の内部で移動しないように保持するような構成であっても良いし、そのような絶縁ホルダに対して遮断器接続用導体６０をボルト等で固定するようにしてもよい。
【００６９】
また、本実施形態では、遮断器接続用導体６０を箱体２２内において前壁２２ｃ側（前方）及び後壁２２ｄ側（後方）の両方に延設するようにした場合について述べたが、特にこれに限定されるものではなく、例えば、右の側壁２２ｂ側（右方）と左の側壁２２ｂ側（左方）の両方に延設するような構成としても良い。要は、遮断器接続用導体６０は、箱体２２内において、前壁２２ｃ側（前方）、後壁２２ｄ側（後方）、右の側壁２２ｂ側（右方）、左の側壁２２ｂ側（左方）、そしてそれらの間の方向のうちの少なくとも１方向、望ましくは２方向（一方と他方）、必要であればそれ以上の方向に延設されていれば良く、そのような構成の遮断器接続用導体６０を内部に有する箱体２２（分岐装置２０）が、第１バスダクトユニット１１ａと第２バスダクトユニット１１ｂとの間に架け渡されてそれぞれに対して固定されるのであれば、上述と同様の効果が得られるものである。
さらに、遮断器接続用導体６０を有しないタイプの分岐装置２０（所謂、バスダクトにおける一般的なプラグイン分岐装置やタップオフ分岐装置等）であっても、本実施形態のように第１バスダクトユニット１１ａと第２バスダクトユニット１１ｂとに架け渡せるように本体部（箱体やカバー等）が形成されていれば、架け渡した際に分岐装置２０の全体若しくはその一部が補強材として機能する点は同じであるため、上述した効果のうち遮断器接続用導体６０が介在せずとも発揮可能な効果については、同様に発揮できるものである。
【００７０】
また、本実施形態では、遮断器接続用導体６０を第１遮断器接続用導体６０ａと第２遮断器接続用導体６０ｂとの２つに分割するようにした場合について述べたが、特にこれに限定されるものでは無く、３つ以上の導体に分割するようにしても良い。また、図１１、図１２に示す第１変形例のように、遮断器接続用導体が分割されていない構成になっていても良い。ここで、図１１、図１２は、本実施形態のバスダクト分岐システムの第１変形例を説明するための模式図である。
尚、以下に示す第１変形例の説明では、上述した実施形態と同じ構成（及び相当する構成）には同じ符号を付している。また、以下では上述した実施形態と同じ構成の説明を省略し、上述した実施形態と異なる構成の説明を行っている。また、図１１では、説明の便宜上、第２カバー部７２が取り外された状態を示している。
【００７１】
具体的には、図１１（ａ）、（ｂ）に示す分岐装置２０のように、箱体２２内の一方（前壁２２ｃ側）から他方（後壁２２ｄ側）まで一連なりの分割していない三相の遮断器接続用導体１６０を、箱体２２内に設けるようにしても良い。この場合、図１２に示すように、分岐装置２０をバスダクト１０に取り付けた際に、バスダクト１０の分岐側締着具１３０のネジ部分や分岐側絶縁スリーブ１２９（図３参照）が遮断器接続用導体１６０の下端よりも下方に位置するように設計することで、遮断器接続用導体１６０と分岐側締着具１３０のネジ部分や分岐側絶縁スリーブ１２９とが干渉することなく、且つ、分岐側締着具１３０で遮断器接続用導体１６０を締着することもでき、結果として、上述の本実施形態と同様の効果を得ることができる。
【００７２】
また、この場合、箱体２２内の前壁２２ｃ側から後壁２２ｄ側まで一連なりの分割していない遮断器接続用導体１６０を固定していることにより、分割導体を組み合わせている場合に比べて箱体２２の剛性がより高くなり、バスダクト１０に分岐装置２０を取り付けた際の補強力を更に向上できる。尚、この場合におけるバスダクト１０に対する分岐装置２０の固定は、固定部材２８のボルトを、第１バスダクトユニット１１ａ及び第２バスダクトユニット１１ｂの第１補強部１１３ａに設けられた図示しない長孔に挿通してナットで締着することで行われている。
【００７３】
また、上述した実施形態では、箱体２２の前後方向の中央部付近に導体接続部６０ｃを形成するようにした場合について述べたが、特にこれに限定されるものではなく、中央部付近からずれて形成するようにしても良く、つまりは、上述の図１１に示す第１変形例のように、導体接続部１６０ｃの前後（長さ方向両側）に形成される遮断器接続部１６０ｄの長さが異なっていても構わない。
【００７４】
また、上述した実施形態では、三相の遮断器接続用導体６０に導体接続部６０ｃを形成する際に、中心相の遮断器接続用導体６０に向けて両外相の遮断器接続用導体６０が近接した状態に屈曲変形するようにした場合について述べたが、特にこれに限定されるものではない。図１３〜図１６に示す第２変形例のように、どちらかの端側の相の導体に向けて残りの導体を屈曲変形するようにしても良い。ここで、図１３〜図１６は、本実施形態のバスダクト分岐システムの第２変形例を説明するための模式図である。
尚、以下に示す第２変形例の説明では、上述した実施形態と同じ構成（及び相当する構成）には同じ符号を付している。また、以下では上述した実施形態と同じ構成の説明を省略し、上述した実施形態と異なる構成の説明を行っている。
【００７５】
具体的には、図１３〜図１６に示す第２変形例の分岐装置２０は、箱体２２の中央部付近において、手前側の相の遮断器接続用導体２６０に向けて残りの相の遮断器接続用導体２６０が近接した状態に屈曲変形させることで、バスダクト１０側の分岐導体部４０（導電性接続部材１２１）と接続するための導体接続部２６０ｃが形成されている。
【００７６】
尚、上述した実施形態と同様、三相の遮断器接続用導体２６０のそれぞれは、導体接続部２６０ｃの中央部付近で切断分離されたかのように、第１遮断器接続用導体２６０ａと第２遮断器接続用導体２６０ｂとに分かれて箱体２２内に並設固定されている（図１３、図１４参照）。
また、上述した実施形態と同様、遮断器接続用導体２６０には、分岐装置２０に遮断器１００が接続された際に遮断器１００のクリップ１００ａが接触する遮断器接続部２６０ｄが設けられている（図１３、図１４参照）。図示する例では、遮断器接続部２６０ｄは、導体接続部２６０ｃの長さ方向・両側にそれぞれ形成されている。また、三相の遮断器接続部２６０ｄは、絶縁スペーサー６１により相互に所定の間隔を開けて設置されている。また、両外相の遮断器接続部２６０ｄは、絶縁スペーサー６１により側壁２２ｂに対して所定の間隔を開けて設置されている。
【００７７】
第２変形例では、このように構成することで、箱体２２の底面２２ａ（図１４〜図１６参照）における取付開口２２ｇの位置、つまりは、箱体２２の底面２２ａにおける分岐導体部４０の挿通位置を、遮断器接続用導体２６０の厚さ方向にずらすことができる。その結果、バスダクト１０に対する分岐装置２０の取り付け位置を設計によって適宜変更することができる。
【００７８】
特に、第２変形例の場合、箱体２２の底面２２ａにおける分岐導体部４０の挿通位置を側壁２２ｂ側に寄せた上で、バスダクト１０側の分岐導体部４０や絶縁セパレータ１２２を側面視で略Ｌ字形状に屈曲させた構成（図１５参照）を採用することにより、分岐装置２０全体を、バスダクトユニット１１の導体厚さ方向の側面側に配置した上で、この分岐装置２０の両端側を第１バスダクトユニット１１ａ及び第２バスダクトユニット１１ｂのそれぞれに固定部材２９（図１４、図１６参照）で固定している。これにより、第１バスダクトユニット１１ａと第２バスダクトユニット１１ｂとの接続部分における導体厚さ方向側に分岐装置２０を架け渡した上で第１バスダクトユニット１１ａと第２バスダクトユニット１１ｂとに分岐装置２０を固定することができ、バスダクトユニット１１の周囲における余剰スペース（この場合、バスダクトユニット１１の導体厚さ側）に分岐装置２０を配置できて利便性が高いだけでなく、第１バスダクトユニット１１ａと第２バスダクトユニット１１ｂとの接続部分をより強固に補強することができるという利点がある。
【００７９】
また、上述した実施形態では、三相の遮断器接続用導体６０とそれに対応する三相分の分岐導体部４０・４０とを分岐側締着具１３０により一括で締着するようにした場合について述べたが、特に限定されるものではない。図１７〜図１９に示す第３変形例のように、遮断器接続用導体６０と分岐導体部４０との締着を相毎に個別に行っても良い。ここで、図１７〜図１９は、本実施形態のバスダクト分岐システムの第３変形例を説明するための模式図である。
尚、以下に示す第３変形例の説明では、上述した実施形態と同じ構成（及び相当する構成）には同じ符号を付している。また、以下では上述した実施形態と同じ構成の説明を省略し、上述した実施形態と異なる構成の説明を行っている。
【００８０】
具体的には、図１７〜図１９に示す第３変形例の分岐装置２０は、上述した実施形態のような近接部（屈曲部分）の無い遮断器接続用導体３６０を備えた構成になっている。この場合、バスダクト１０側の分岐導体部４０を、三相の遮断器接続用導体３６０の離間間隔に合わせて拡開延設させた構成を採用する。そして、バスダクト１０への分岐装置２０の取付けの際には、三相の遮断器接続用導体３６０それぞれと、それに対応する相の分岐導体部４０・４０とを分岐側締着具２３０（この場合、各相に対して３個ずつ）で個別に締着している。これにより、三相の遮断器接続用導体３６０の何れにも屈曲部分が無い分だけ全体の剛性が高くなるため、この遮断器接続用導体３６０が固定されている箱体２２の強度も向上し、結果として、第１バスダクトユニット１１ａと第２バスダクトユニット１１ｂとの接続部分をより強固に補強することができる。また、この場合の遮断器接続用導体３６０には近接部が形成されていないため、その全体に亘って遮断器１００を任意の位置に取り付け可能という利点もある。尚、図示する第３変形例の場合、相毎に一対の分岐導体部４０・４０を延設して遮断器接続用導体３６０と締着しているが、延設する分岐導体部４０は１つであっても良い。
【００８１】
尚、図示する例では、三相の遮断器接続用導体３６０は、その長さ方向中央部付近の下端側領域が、バスダクト１０側の分岐導体部４０（導電性接続部材１２１）と接続するための導体接続部３６０ｃになっている。また、三相の遮断器接続用導体３６０は、上端側領域の全体に亘って、分岐装置２０に遮断器１００が接続された際に遮断器１００のクリップ１００ａが接触する遮断器接続部３６０ｄが形成されている。
【００８２】
また、かかる構成に加え、外側の相の遮断器接続用導体３６０を中心相側に僅かに近接させるようにした上で、それに対応する相の分岐導体部４０・４０と分岐側締着具２３０で個別に締着するようにしても良い。このようにすれば、外側の相の遮断器接続用導体３６０と箱体２２の側壁２２ｂとの間に、作業用スペース（分岐側締着具２３０の締結作業用スペース等）が形成されることになり、作業が容易になるという更なる効果が得られる。
【００８３】
さらに、上述した実施形態では、分岐導体としての分岐導体部４０をバスダクト１０側に設けるようにした場合について述べたが、特にこれに限定されるものでもなく、分岐装置２０側に分岐導体を設けるようにしても良い。すなわち、例えば、遮断器接続用導体６０の一部を底面２２ａよりも下方にまで屈曲延設してその先端に分岐導体部を形成したり、別部材でなる分岐導体を遮断器接続用導体６０に接続し、その下端が底面２２ａよりも下方に突出するように配置するようにしても良い。そして、そのように分岐装置２０の底面２２ａから下方に突設させた分岐導体を、例えば、通常の接続ユニット１２（図４におけるフランジ部１２３ｂよりも上側の延設部分が無い構造）の導電性接続部材１２１・１２１（バスダクト導体）の間に挿入（プラグイン）して電気的に接続したり、導電性接続部材１２１・１２１の間に挿入した後に締着して電気的・物理的に接続したりすることで、バスダクト１０と分岐装置２０とを接続するようにしても良い。このような分岐導体の構造であっても、上述の本実施形態やその変形例と同様の効果が得られるものである。
【００８４】
さらに、上述した実施形態では、第１カバー部７１のケーブル開口７１ｃをカバー側壁７１ｂ（分岐装置２０の側面側）に設けるようにした場合について述べたが、特にこれに限定されるものでは無く、カバー前壁７２ｃやカバー後壁７２ｄに設けるようにしても良い。その場合、例えば、遮断器１００の各相の端子１００ｅを高さ方向にずらして配置し、各々の端子１００ｅに対してケーブル１００ｂをカバー前壁７２ｃ又はカバー後壁７２ｄに向けて接続することで、第１カバー部７１にケーブル１００ｂを挿通させれば良い。そうすることで、カバー側壁７１ｂにケーブル開口７１ｃを設けなくて良い分だけカバー部７０（第１カバー部７１）の機械的強度が高くなるため、結果として、分岐装置２０の機械的強度も向上することになる。また、カバー上面７２ａにケーブル開口を設けてそこからケーブル１００ｂを引き出すようにしても良い。
【００８５】
以上、本実施形態及びその変形例のバスダクト分岐システムについて説明したが、本発明はこれに限定されず、本発明を実施できる範囲であれば、実施形態やその変形例の各構成を適宜変更した形態や、実施形態や変形例の各構成を部分的に抽出した形態や、実施形態や変形例の各構成の一部又は全部を任意に抽出して組み合わせた形態についても広く包含するものである。
【００８６】
また、分岐装置２０を接続するバスダクト１０側の形状・構造、接続構造も適宜であり、例えば接続ユニット１２を介さず、絶縁被覆導体１１１の絶縁被覆から露出した導体端部相互を重ね合わせて締着具で締着する所謂重ね合わせ接続のバスダクトにおいて、その導体端部側を上方に延設したり別部材でなる導体を接続したりして分岐導体部４０と同様の構造を形成するようにしても良い。また、別の例を挙げれば、バスダクトユニット１１の中間部などで異相間の導体の間隔を拡げて内部の導体を絶縁被覆から露出させ、その露出導体を、一対の導体で挟持して上方に突設させるなどして分岐導体部４０と同様の構造を形成するようにしても良い。要は、本実施形態及びその変形例で示した各分岐装置２０や、その一部又は全部を任意に抽出して組み合わせた形態等の分岐装置を取り付けることができて、その本体部が第１バスダクトユニット１１ａと第２バスダクトユニット１１ｂとの間に架け渡されてそれぞれに対して固定できるのであれば、バスダクト側の形状・構造、接続構造等に制限は無い。
【符号の説明】
【００８７】
１０…バスダクト（バスダクト幹線）
１１ａ…第１バスダクトユニット
１１ｂ…第２バスダクトユニット
１１１…絶縁被覆導体
１１１ａ…導体
１１２…パイプスペーサ
１１３…側板
１１３ａ…第１補強部
１１３ｂ…第２補強部
１１４ａ…ボルト
１１４ｂ…ナット
１２…接続ユニット
３０…接続カバー
３２…基部（接続カバー）
３４…補強片（接続カバー）
４０…分岐導体部
１２１…導電性接続部材
１２２…絶縁セパレータ
１２３…接続側板
１２３ａ…凹部（接続側板）
１２３ｂ…フランジ部（接続側板）
１２４…押圧部材
１２５…絶縁スリーブ
１２６…締着具
１２７…分岐部側板
１２８…分岐側押圧部材
１２９…分岐側絶縁スリーブ
１３０…分岐側締着具
２０…分岐装置
２２…箱体
２２ａ…底面（箱体）
２２ｂ…側壁（箱体）
２２ｃ…前壁（箱体）
２２ｄ…後壁（箱体）
２２ｅ…遮断器接続開口（箱体）
２２ｆ…支持板部（箱体）
２２ｇ…取付開口（箱体）
２６、２７、２８、２９…固定部材
６０…遮断器接続用導体
６０ａ…第１遮断器接続用導体（遮断器接続用導体）
６０ｂ…第２遮断器接続用導体（遮断器接続用導体）
６０ｃ…導体接続部（遮断器接続用導体）
６０ｄ…遮断器接続部（遮断器接続用導体）
６０ｅ…補強導体
６１…絶縁スペーサー
６２…締着具
７０…カバー部
７１…第１カバー部（カバー部）
７１ａ…カバー底面（第１カバー部）
７１ｂ…カバー側壁（第１カバー部）
７１ｃ…ケーブル開口（第１カバー部）
７２…第２カバー部（カバー部）
７２ａ…カバー上面（第２カバー部）
７２ｂ…カバー側壁（第２カバー部）
７２ｃ…カバー前壁（第２カバー部）
７２ｄ…カバー後壁（第２カバー部）
１６０…遮断器接続用導体
１６０ｃ…導体接続部（遮断器接続用導体）
１６０ｄ…遮断器接続部（遮断器接続用導体）
２３０…分岐側締着具
２６０…遮断器接続用導体
２６０ａ…第１遮断器接続用導体（遮断器接続用導体）
２６０ｂ…第２遮断器接続用導体（遮断器接続用導体）
２６０ｃ…導体接続部（遮断器接続用導体）
２６０ｄ…遮断器接続部（遮断器接続用導体）
３６０…遮断器接続用導体
３６０ｃ…導体接続部（遮断器接続用導体）
３６０ｄ…遮断器接続部（遮断器接続用導体）
１００…遮断器
１００ａ…クリップ
１００ｂ…ケーブル
１００ｃ…ケーシング
１００ｄ…操作部
１００ｅ…端子
【図１】
2018182821.tif 000003
【図２】
2018182821.tif 000004
【図３】
2018182821.tif 000005
【図４】
2018182821.tif 000006
【図５】
2018182821.tif 000007
【図６】
2018182821.tif 000008
【図７】
2018182821.tif 000009
【図８】
2018182821.tif 000010
【図９】
2018182821.tif 000011
【図１０】
2018182821.tif 000012
【図１１】
2018182821.tif 000013
【図１２】
2018182821.tif 000014
【図１３】
2018182821.tif 000015
【図１４】
2018182821.tif 000016
【図１５】
2018182821.tif 000017
【図１６】
2018182821.tif 000018
【図１７】
2018182821.tif 000019
【図１８】
2018182821.tif 000020
【図１９】
2018182821.tif 000021